(57)【要約】【課題】撮影により得られた画像データのデータ量が着脱可能な記憶メディアの記録可能量を越える場合でも、該画像データを消去および該画像データの画像品質を低下させることなく、該記憶メディアに記録する。【解決手段】撮影により得られた画像データのデータ量が記憶メディアの記録可能量を越える場合（ステップ１０４の肯定判断の場合）、記憶メディアの記録可能量が増える（ステップ１０８の処理が終了する）まで、該画像データをＳＤＲＡＭに記録する。即ち、メモリ（スマートメディアまたはＳＤＲＡＭなど）を増設することなく、記憶メディアの記録可能量を増やす処理が行われるまで、該画像データがＳＤＲＡＭに記録されているので、該画像データを消去および該画像データの画像品質を低下させることなく、記憶メディアに記録し得る（ステップ１１２）。【選択図】        図３
2004166028.tif 000002
【特許請求の範囲】
【請求項１】
被写体を撮影する撮影手段と、前記撮影手段の撮影により得られた画像データを画像処理するために必要な第１の記録手段と、前記撮影手段の撮影により得られた画像データを記録する着脱可能な第２の記録手段とを有する撮像装置であって、
前記第２の記録手段の記録可能量が、前記撮影手段の撮影により得られた画像データのデータ量未満かを判断する判断手段と、
前記記録可能量が前記画像データのデータ量未満であると前記判断手段が判断した場合には、前記画像データを前記第１の記録手段に記録するよう制御する制御手段と、
を備える撮像装置。
【請求項２】
前記第２の記録手段の記録可能量が前記画像データのデータ量以上となりかつ前記画像データが前記第２の記録手段に記録されるまで、前記画像データを前記第１の記録手段に記録する請求項１に記載の撮像装置。
【請求項３】
前記第１の記録手段は揮発性メモリであり、
前記第２の記録手段への電力の供給が遮断される場合に、前記第１の記録手段に電力を供給する補助電源手段を備える請求項１または２に記載の撮像装置。
【請求項４】
前記第２の記録手段に記録された画像データを削除する削除手段を備える請求項１または２に記載の撮像装置。
【請求項５】
前記削除手段は前記第２の記録手段に記録された全ての画像データを一括に削除する請求項４に記載の撮像装置。
【請求項６】
前記第１の記録手段に記録された画像データの中から削除する画像データを選択する選択手段を設け、
前記削除手段は前記選択手段によって選択された画像データを削除する請求項４に記載の撮像装置。
【請求項７】
前記第１の記録手段はＲＡＭである請求項１または３に記載の撮像装置。
【発明の詳細な説明】
【０００１】
【発明の属する技術分野】
本発明は、撮影により得られた画像データを着脱可能な記憶メディアたとえばメモリカードなどに記録するデジタルスチルカメラなどの撮像装置に関する。
【０００２】
【従来の技術】
従来のデジタルスチルカメラ（以下、単に「カメラ」という）では、撮影により得られた画像データのデータ量がメモリカードの空き容量（記録可能量）を越える場合、撮影済みの画像データを破棄（消去）した後に、撮影を禁止する撮影禁止モードに切換えていた。
【０００３】
また、従来のカメラでは、上記画像データの破棄を回避する方法として、画像データの圧縮率を上げることにより、メモリカードの空き容量を増やす方法を採用するものなどがある（例えば、特許文献１または特許文献２参照）。即ち、特許文献２などでは、メモリカードの空き容量を増やすことにより、上記撮影した画像データをメモリカードに記録できるようにしている。
【０００４】
【特許文献１】
特開平１０−９８６６８号公報
【特許文献２】
特開平６−１０５２１５号公報
【０００５】
【発明が解決しようとする課題】
ところで、撮影済みの画像データをメモリカードに記録することなく破棄するタイプのカメラでは、貴重な画像データを残すことができないという不都合が生じる。一方、特許文献２に係る発明では、画像データの圧縮率を上げて記録（即ち、低解像度へ変換して保存）するので、画像品質が低下するという不都合が生じる。
【０００６】
本発明の目的は、上記事実を考慮して、撮影により得られた画像データのデータ量が着脱可能な記憶メディアの記録可能量を越える場合であっても、該画像データを消去および該画像データの画像品質を低下させることなく、該記憶メディアに記録し得る撮像装置を提供する。
【０００７】
【課題を解決するための手段】
請求項１記載の撮像装置では、被写体を撮影する撮影手段と、前記撮影手段の撮影により得られた画像データを画像処理するために必要な第１の記録手段と、前記撮影手段の撮影により得られた画像データを記録する着脱可能な第２の記録手段とを有する撮像装置であって、前記第２の記録手段の記録可能量が、前記撮影手段の撮影により得られた画像データのデータ量未満かを判断する判断手段と、前記記録可能量が前記画像データのデータ量未満であると前記判断手段が判断した場合には、前記画像データを前記第１の記録手段に記録するよう制御する制御手段と、を有する。
【０００８】
第１の記録手段は、撮影手段の撮影により得られた画像データを画像処理する際に用いられる。第２の記録手段は、撮像装置に対して着脱可能であり、撮影手段の撮影により得られた画像データを記録する。ここで、第１および第２の記録手段は、撮像装置に使用されている既存のメモリである。
【０００９】
判断手段は、第２の記録手段の記録可能量が、撮影手段の撮影により得られた画像データのデータ量未満かを判断する。制御手段は、記録可能量が画像データのデータ量未満であると判断手段が判断した場合、画像データを第１の記録手段に記録するよう制御する。
【００１０】
請求項１記載に係る撮像装置においては、撮影により得られた画像データのデータ量が第２の記録手段たとえば記憶メディアの記録可能量を越える場合であっても、制御手段が画像データを第１の記録手段に記録するよう制御するので、たとえば第２の記録手段の交換，または第２の記録手段に記録されている画像データの削除などの処理を行うことによって第２の記録手段の記録可能量が増えるまで、画像データを第１の記録手段に記録し得る。
【００１１】
即ち、請求項１記載に係る撮像装置によれば、記録手段を増設することなく、第２の記録手段の記録可能量を増やす処理が行われるまで、該画像データが第１の記録手段に記録されているので、該画像データを消去および該画像データの画像品質を低下させることなく、第２の記録手段に記録し得る。ここで、第２の記録手段に記録される画像データは、撮影手段たとえばＣＣＤから出力された未加工状態の画像データ（ＲＡＷデータ）の他に、第１の記録手段に記録された画像処理後の画像データなどを含む概念である。
【００１２】
請求項２記載の撮像装置では、前記第２の記録手段の記録可能量が前記画像データのデータ量以上となりかつ前記画像データが前記第２の記録手段に記録されるまで、前記画像データを前記第１の記録手段に記録する。請求項２記載に係る撮像装置によれば、第２の記録手段の記録可能量が該画像データのデータ量以上となりかつ該画像データが第２の記録手段に記録されるまで、該画像データを第１の記録手段に記録するので、該画像データを消去および該画像データの画像品質を低下させることなく、第２の記録手段に記録し得る。
【００１３】
請求項３記載の撮像装置では、前記第１の記録手段は揮発性メモリであり、前記第２の記録手段への電力の供給が遮断される場合に、前記第１の記録手段に電力を供給する補助電源手段を備える。第２の記録手段への電力の供給が遮断される場合としては、第２の記録手段の記録可能量を増やすために、第２の記録手段を交換する場合すなわち第２の記録手段を撮像装置から取外す場合などである。
【００１４】
この場合には、第２の記録手段の電気的破壊を防止するために、撮像装置本体の電源をオフにする。一方、揮発性メモリである第１の記録手段は、第１の記録手段に対して電力の供給が遮断されると、第１の記録手段に記録されているデータが全て消滅してしまう。
【００１５】
そのため、請求項３記載に係る撮像装置においては、第２の記録手段への電力の供給が遮断される場合に、補助電源手段によって第１の記録手段に電力を供給する。従って、請求項３記載に係る撮像装置によれば、第２の記録手段の記録可能量を増やす処理として例えば第２の記録手段を交換する際すなわち撮像装置本体の電源がオフになる場合にも、補助電源手段によって第１の記録手段に電力が供給されるので、第１の記録手段に記録されているデータをそのまま保存できると共に、第２の記録手段を撮影途中においても交換できる。
【００１６】
請求項４記載の撮像装置では、前記第２の記録手段に記録された画像データを削除する削除手段を備える。請求項４記載に係る発明においては、第２の記録手段の記録可能量を増やす処理として、削除手段により第２の記録手段に記録されている画像データを削除する。
【００１７】
請求項５記載の撮像装置では、前記削除手段は前記第２の記録手段に記録された全ての画像データを一括に削除する。請求項５記載に係る発明においては、削除手段により、第２の記録手段に記録された全ての画像データを一括に削除する。上記全ての画像データを一括に削除する処理としては、たとえば第２の記録手段をフォーマットする処理またはオールデリート処理などである。
【００１８】
請求項６記載の撮像装置では、前記第１の記録手段に記録された画像データの中から削除する画像データを選択する選択手段を設け、前記削除手段は前記選択手段によって選択された画像データを削除する。請求項６記載に係る発明においては、選択手段によって第１の記録手段に記録された画像データの中から削除する画像データを選択し、そして削除手段は選択手段によって選択された画像データを削除する。即ち、請求項６記載に係る発明は、任意の画像データのみを個々に選択し、削除するデリート処理である。
【００１９】
なお、請求項１または３に記載されている第１の記録手段は、請求項７記載に係る発明のようにＲＡＭ（Ｒａｎｄｏｍ  Ａｃｃｅｓｓ  Ｍｅｍｏｒｙ）である。ＲＡＭは、ＳＲＡＭ（Ｓｔａｔｉｃ  ＲＡＭ），ＤＲＡＭ（Ｄｙｎａｍｉｃ  ＲＡＭ），またはＳＤＲＡＭ（Ｓｙｎｃｈｒｏｎｏｕｓ  ＤＲＡＭ）などを含む概念である。
【００２０】
また、本発明に係る第２の記録手段は、スマート・メディア（ＳｍａｒｔＭｅｄｉａ（Ｒ））、コンパクト・フラッシュ（ＣｏｍｐａｃｔＦｌａｓｈ）、ＡＴＡ（ＡＴ  Ａｔｔａｃｈｍｅｎｔ）カード、フロッピィディスク、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）などを含む概念である。
【００２１】
さらに、本発明に係る撮像装置は、デジタルスチルカメラ，デジタルビデオカメラ，撮像機能を備えた携帯電話，パーソナル・コンピュータ，ＰＤＡ（Ｐｅｒｓｏｎａｌ    Ｄｉｇｉｔａｌ  Ａｓｓｉｓｔａｎｃｅ）などを含む概念である。
【００２２】
【発明の実施の形態】
以下、図１乃至図５に基づいて、本発明の実施形態に係る撮像装置としてのデジタルスチルカメラについて説明する。なお、図１は本実施形態のデジタルスチルカメラの斜視図、図２は図１に示すデジタルスチルカメラのブロック図である。
【００２３】
図１に示すように、本実施形態に係るデジタルスチルカメラ（以下、単に「カメラ」という）１０には、記憶媒体収納部１４を開放または閉鎖する蓋部１６が、開閉可能に配置されている。記憶媒体収納部１４には、第２の記録手段であるスマートメディア（ＳＳＦＤＣ）１２を装填するためのスロット１８が形成されている。
【００２４】
また、カメラ１０には、蓋部１６のロックを解除するロック解除ツマミ２２が、スライド可能に配置されている。ロック解除ツマミ２２をスライドさせて蓋部１６のロックを解除すると、蓋部１６が回転し記憶媒体収納部１４すなわちスロット１８が開放される。さらに、カメラ１０には、蓋部１６の開放状態（図１に示すような状態）を検出するスイッチなどの検出部８２（図２参照）が配置されていると共に、図１に示すような電源スイッチ２４およびシャッターボタン２６などの各種操作キーが配置されている。
【００２５】
次に、図２に基づき、カメラ１０の制御系に関する構成について概略する。カメラ１０は、被写体像を結像させるためのレンズを含んで構成された撮影手段の一部を構成する光学ユニット３０と、上記レンズの光軸後方に配設された撮影手段の一部を構成するＣＣＤ３２と、ＣＣＤ３２からの出力信号に基づきを示すデジタル画像データを生成すると共に光学ユニット３０の各部，ＣＣＤ３２などを駆動するためのタイミング信号を生成する信号処理部４０と、カメラ１０の全体的な動作を司る主制御部６０と、ＣＣＤ３２を駆動する垂直・水平ドライバ３４と、を含んで構成されている。
【００２６】
カメラ１０は、ＣＣＤ３２による撮像によって得られた被写体像や各種情報を表示するＬＣＤ７２と、ＬＣＤ７２の表面に設置された感圧式のタッチパネル７３と、主としてＣＣＤ３２による撮像によって得られたデジタル画像データを一時的に記録する第１の記録手段としてのＳＤＲＡＭ７４と、各種パラメータやプログラム等を記憶したフラッシュＲＯＭ７６と、主制御部６０およびＳＤＲＡＭ７４などに対して電源電力を供給する電源部７８と、蓋部１６の開放状態を検出する検出部８２と、を含んで構成されている。
【００２７】
ＳＤＲＡＭ７４は、カメラ１０の装置本体に内蔵され、取外し不可能となっている。また、ＳＤＲＡＭ７４の記録領域（図示省略）は、カメラ１０の各部の処理時に使用するデータを記録するワーク領域、ＣＣＤ３２から出力された画像データを記憶する画像領域などを備えている。ここで、図１に示すスマートメディア（記憶メディア）１２および図２に示すＳＤＲＡＭ７４は、カメラ１０に使用されている既存のメモリである。
【００２８】
ＳＤＲＡＭ７４に電源部７８からの電源電流（電力）を供給するモードとしては、カメラ１０本体に電力を供給する通常モードおよびＳＤＲＡＭ７４にのみ電力を供給するバックアップモードを有する。即ち、ＳＤＲＡＭ７４と電源部７８との間には補助電源手段の電源バックアップ部８０が接続されていると共に、電源バックアップ部８０とＳＤＲＡＭ７４との間には電源部７８が電源バックアップ部８０を介することなく接続されている。
【００２９】
そして、通常モードでは電源部７８からの電力が電源バックアップ部８０を介することなくＳＤＲＡＭ７４に供給され、バックアップモードではＳＤＲＡＭ７４に電源バックアップ部８０を介して電力が供給される。そのため、カメラ１０本体に電力が供給されない電力供給停止モードであっても、後述するＣＰＵ６２がバックアップモードとなるように電源部７８を制御するので、ＳＤＲＡＭ７４中の各種データ（画像データなど）は保存される。
【００３０】
なお、図２では、錯綜を回避するために、電源部７８と主制御部６０またはＳＤＲＡＭ７４との間に対し、４本の線で接続された状態を示したが、実際には電源部７８から光学ユニット３０，垂直・水平ドライバ３４などの各部へは各々異なる配線によって接続されており、上記各部には電源部７８からの電力が各々供給される。
【００３１】
一方、信号処理部４０は、相関２重サンプリング回路（ＣＤＳ）４２と、ゲインコントローラ（ＧＣ）４４と、Ａ／Ｄコンバータ４６と、タイミングジェネレータ（ＴＧ）４８と、を含んで構成されている。また、主制御部６０は、主制御部６０全体の動作を司る判断手段または制御手段のＣＰＵ（中央演算処理装置）６２と、所定容量のラインバッファを内蔵した撮像制御部６４と、所定の圧縮形式（本実施の形態ではＪＰＥＧ（Ｊｏｉｎｔ  Ｐｈｏｔｏｇｒａｐｈｉｃ  Ｅｘｐｅｒｔｓ  Ｇｒｏｕｐ）形式）でデジタル画像データに対して圧縮処理を施すと共に、圧縮処理されたデジタル画像データに対して伸張処理を施す圧縮・伸張部６６と、メディア制御部６８と、ＬＣＤ制御部７０と、がバスＢＵＳを介して相互に接続されて構成されている。
【００３２】
メディア制御部６８には、着脱可能な記憶メディア（図１に示されるスマートメディア）１２が接続されている。そして、記憶メディア１２に対する各種情報の書き込みや当該記憶メディア１２に書き込まれている各種情報の読み出しは、メディア制御部６４によって制御される。
【００３３】
また、ＬＣＤ制御部７０にはＬＣＤ７２が接続されており、ＬＣＤ７２にはＬＣＤ制御部７２の制御下で画像データなどの各種情報の表示がなされる。なお、ＬＣＤ７２は、ＣＣＤ３２による連続的な撮像によって得られた動画像（スルー画像）を表示してファインダとして使用することができる。
【００３４】
一方、タッチパネル７３、ＳＤＲＡＭ７４及びフラッシュＲＯＭ７６は主制御部６０のバスＢＵＳに接続されている。従って、ＣＰＵ６２は、タッチパネル７３に対するユーザによる接触位置を把握することができると共に、ＳＤＲＡＭ７４及びフラッシュＲＯＭ７６を任意にアクセスすることができる。
【００３５】
ＣＣＤ３２の出力端は、相関２重サンプリング回路４２、ゲインコントローラ４４、及びＡ／Ｄコンバータ４６を順に介して撮像制御部６４に接続されている。ＣＣＤ３２から出力された信号は、相関２重サンプリング回路４２によって相関２重サンプリング処理が施され、ゲインコントローラ４４によってＣＣＤ３２におけるＲ（赤），Ｇ（緑），Ｂ（青）毎の感度調整が施された後、各画素毎のＲ、Ｇ、Ｂ信号としてＡ／Ｄコンバータ４６に加えられる。
【００３６】
Ａ／Ｄコンバータ４６は、ゲインコントローラ４４から順次加えられるＲ，Ｇ，Ｂ信号を、各々１２ビットのＲ，Ｇ，Ｂ信号（以下、「デジタル画像データ」という。）に変換して撮像制御部６４に出力する。そして、撮像制御部６４は、内蔵しているラインバッファにＡ／Ｄコンバータ４６から順次入力されるデジタル画像データを、蓄積して一旦ＳＤＲＡＭ７４に格納する。
【００３７】
ＳＤＲＡＭ７４に格納されたデジタル画像データは、ＣＰＵ６２によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理して輝度信号Ｙとクロマ信号Ｃｒ、Ｃｂ（以下、「ＹＣ信号」という。）を生成し、ＹＣ信号を再びＳＤＲＡＭ７４に格納する。
【００３８】
また、図１に示すシャッターボタン２６が撮影者によって押圧操作された場合には、ＳＤＲＡＭ７４に格納されたＹＣ信号を、圧縮・伸張部６６によって所定の圧縮形式で圧縮した後に、圧縮された画像データを再度ＳＤＲＡＭ７４に格納する。そして、上記画像データをＳＤＲＡＭ７４から読み出し、メディア制御部６８を介して記憶メディア１２に記憶する。即ち、記憶メディア１２には、被写体の画像データが、メディア制御部６８を介して記憶される。
【００３９】
一方、タイミングジェネレータ４８には、垂直・水平ドライバ３４が接続されている。タイミングジェネレータ４８は、ＣＣＤ３２を駆動させるためのタイミング信号を垂直・水平ドライバ３４に、撮像制御部６４を駆動させるためのタイミング信号を撮像制御部６４に、それぞれ出力する。
【００４０】
また、ＣＰＵ６２は、ＣＣＤ３２による撮像によって得られた画像のコントラストが最大となるように、合焦制御を行う。即ち、カメラ１０は、合焦制御として、読み取られた画像のコントラストが最大となるようにレンズの位置を設定する、いわゆるＴＴＬ（Ｔｈｒｏｕｇｈ  Ｔｈｅ  Ｌｅｎｓ）方式を採用している。
【００４１】
そして、カメラ１０では、オートフォーカス・フレームによって示される撮影位置に被写体が位置した状態において、シャッターボタン２６（図１参照）が半押しされることにより、自動的に合焦制御が行われる。また、レリーズボタン２６が全押しされた場合には、ＳＤＲＡＭ７４に格納された圧縮処理後の画像データが、記憶メディア１２に記憶される。
【００４２】
次に、図３乃至図５に基づき、カメラ１０における画像データの記憶メディア１２への記録処理について説明する。図３は、ユーザによってカメラ１０の電源スイッチ（図１参照）２４がオンされ、図１に示すシャッタボタン２６が全押し操作された際にＣＰＵ６２によって実行される処理ルーチンを示すフローチャートである。
【００４３】
そして、上記プログラムは、予めフラッシュＲＯＭ７６のプログラム領域（図示省略）に記憶されている。また、本フローチャートは、シャッタボタン２６が操作される毎に行われる。
【００４４】
ステップ１００では、シャッタボタン２６の全押し操作によって得られた上記圧縮処理後の画像データを、ＳＤＲＡＭ７４に記録する。ステップ１０２では記憶メディア１２の記録可能量（空き容量）を検出し、ステップ１０４では記憶メディア１２の空き容量が上記画像データのデータ量未満か否かを判断する。即ち、ＣＰＵ６２は、ステップ１０４の判断処理の前提として、画像データのデータ量を検出する。
【００４５】
ステップ１０４が否定の場合すなわち上記空き容量が画像データのデータ量未満でない判断された場合には、ステップ１１４において、上記画像データを記憶メディア１２に記録する。そして、上記画像データが記憶メディア１２に記録されると、ステップ１１４でＳＤＲＡＭ７４に記録されている画像データが記憶メディア１２に記憶されたか否かを識別するためのフラグをセット（「１」に設定）すると共に、セットされたフラグを上記画像データに対応するようＳＤＲＡＭ７４のワーク領域に記録する。なお、ステップ１１４の処理が終了すると、本フローチャートは終了する。
【００４６】
一方、ステップ１０４が肯定の場合すなわち上記空き容量が画像データのデータ量未満である判断（画像データのデータ量に対し空き容量が足りないと判断）された場合には、ステップ１０６の処理において、記憶メディア１２に対する「空き容量解消処理」が必要である旨をＬＣＤ７２に表示させる。また、ステップ１０６の処理は、記憶メディア１２の記憶容量が満杯（記録可能量がゼロ）になるので、上記画像データを記憶メディア１２に記憶させることができないという「記憶メディアへの記憶不可」を、ＬＣＤ７２に表示させる。
【００４７】
ここでは、ＳＤＲＡＭ７４に記録されている画像データが記憶メディア１２に記憶されていないことを示すためにフラグがセットされず（「０」の状態）、そしてセットされていないフラグを上記画像データに対応するようＳＤＲＡＭ７４のワーク領域に記録する。また、圧縮処理後の上記画像データは、記憶メディア１２に記憶される直前の画像データであり、ＳＤＲＡＭ７４に記録保持される。
【００４８】
ステップ１０８では、記憶メディア１２に対する「空き容量解消処理」を行う（図４参照）。この空き容量解消処理は、図４に示すように、ステップ１２０において、記憶メディア交換モードが選択された否かを判断する。ステップ１２０が肯定の場合すなわち記憶メディア交換モードが選択された場合には、ステップ１２２において、記憶メディア（図１に示すスマートメディア）１２を交換する交換モードの処理を行う（図５参照）。
【００４９】
なお、モード選択画面を示す画像データをＬＣＤ制御部７０に出力することによりモード選択画面をＬＣＤ７２に表示させ、そしてユーザがタッチパネル７３を用いたモードの選択を行う。この場合、上記モード選択画面を示す画像データは、予めフラッシュＲＯＭ７６の所定領域に記憶されている。
【００５０】
交換モード処理は、図５に示すように、ステップ１４０において、図１に示す蓋部１６が開放されたか否かを、検出部８２の検出結果（オフ信号）に基づいて判断する。ステップ１４０が肯定の場合すなわち蓋部１６が開放された場合には、ステップ１４２でＳＤＲＡＭ７４をバックアップモードにすると共に、ステップ１４４でＳＤＲＡＭ７４以外の電源をオフ（電力供給停止モード）にする。なお、ステップ１４０の処理は、蓋部１６が開放されるまで続けられる。
【００５１】
即ち、ステップ１２２における空き容量解消処理（図５参照）は、スマートメディア１２の記録可能量を増やすために、スマートメディア１２をカメラ１０のスロット１８から取外し交換する場合である。この場合には、スマートメディア１２の電気的破壊を防止するために、蓋部１６が開放されると、カメラ１０本体の電源をオフにする（ステップ１４４参照）。
【００５２】
一方、揮発性メモリであるＳＤＲＡＭ７４は、ＳＤＲＡＭ７４に対して電力の供給が遮断されると、ＳＤＲＡＭ７４に記録されているデータが全て消滅してしまうので、ステップ１４２でＳＤＲＡＭ７４を電源バックアップモードにし、ＳＤＲＡＭ７４に電力を供給させる。
【００５３】
本実施形態においては、スマートメディア１２への電力の供給が遮断される場合に、電源バックアップ部８０によってＳＤＲＡＭ７４に電力が供給される。従って、本実施形態によれば、スマートメディア１２の記録可能量を増やす処理としてスマートメディア１２を交換する際すなわちカメラ１０本体の電源がオフになる場合にも、電源バックアップ部８０によってＳＤＲＡＭ７４に電力が供給されるので、ＳＤＲＡＭ７４に記録されているデータがそのまま保存できると共に、スマートメディア１２を撮影途中においても交換できる。
【００５４】
ステップ１４６では、蓋部１６が閉止されたか否かを、検出部８２の検出結果（オン信号）に基づいて判断する。ステップ１４６が肯定の場合すなわち蓋部１６が閉止された場合には、ステップ１４８で電源をオンにすると共に、ステップ１５０でＳＤＲＡＭ７４を通常モード（カメラ１０本体に電力を供給するモード）にする。なお、ステップ１４６の処理は、蓋部１６が閉止されるまで続けられる。
【００５５】
ステップ１５２では、記憶メディアすなわち図１に示すスマートメディア１２が、記憶媒体収納部１４のスロット１８に装填されているか否かを判断する。ステップ１５２が否定の場合すなわちスマートメディア１２がスロット１８に装填されていない場合には、ステップ１４０に戻る。一方、ステップ１５２が肯定の場合すなわちスマートメディア１２がスロット１８に装填されている場合には、図５に示すサブルーチンは終了する。
【００５６】
交換モードに関するサブルーチン（図５参照）が終了すると、図４に戻り、ステップ１３０で記憶メディア１２の空き容量を検出すると共に、ステップ１３２で記憶メディア１２の空き容量が上記画像データのデータ量未満か否かを判断する。ステップ１３２が肯定の場合すなわち上記空き容量が画像データのデータ量未満である場合には、ステップ１２０に戻る。
【００５７】
一方、ステップ１３２が否定の場合すなわち上記空き容量が画像データのデータ量未満でない場合には、空き容量解消処理のサブルーチン（図４参照）は終了する。また、ステップ１２０が否定の場合すなわち記憶メディア交換モードが選択されない場合には、ステップ１２４において、記憶メディアフォーマットモードか否かを判断する。
【００５８】
ステップ１２４が肯定の場合すなわち記憶メディアフォーマットモードが選択された場合には、ステップ１２６において、記憶メディア（スマートメディア）１２に対し初期状態に戻すフォーマット処理を行う。即ち、このフォーマット処理は、スマートメディア１２に記録されている全ての画像データを、一括に削除する処理である。
【００５９】
また、ステップ１２４が否定の場合すなわち記憶メディアフォーマットモードが選択されない場合には、ステップ１２８において、スマートメディア１２に記録されている各画像データを、個々に削除する処理を行う。ここで、各画像データの選択は、選択画面を示す画像データをＬＣＤ制御部７０に出力することにより選択画面をＬＣＤ７２に表示させると共に、ユーザが選択手段または削除手段であるタッチパネル７３を用いて選択を行う。
【００６０】
ステップ１２６またはステップ１２８の処理が終了すると、上述したステップ１３０およびステップ１３２の処理が行われる。空き容量解消処理のサブルーチン（図４参照）が終了すると、図３に戻り、ステップ１１０でＳＤＲＡＭ７４に格納されている上記圧縮処理後の画像データを読出す。ここで、読出す画像データは、記憶メディア１２に記憶されていない画像データであり、上述したフラグがセットされていない画像データである。そして、読出された画像データは、ステップ１１２で記憶メディア１２に転送して記録される。ステップ１１２の処理が終了すると、図３に示す交換モード処理は終了する。
【００６１】
本実施形態においては、撮影により得られた画像データのデータ量が記憶メディア（スマートメディア）１２の記録可能量を越える場合であっても、ＣＰＵ６２が該画像データをＳＤＲＡＭ７４に記録するよう制御するので、スマートメディア１２の交換またはスマートメディア１２に記録されている画像データを削除することによってスマートメディア１２の記録可能量が増えるまで、該画像データをＳＤＲＡＭ７４に記録する。
【００６２】
また、本実施形態においては、スマートメディア１２の記録可能量が該画像データのデータ量以上となりかつ該画像データがスマートメディア１２に記録されるまで、該画像データをＳＤＲＡＭ７４に記録する。
【００６３】
即ち、本実施形態によれば、メモリ（たとえばスマートメディアおよびＳＤＲＡＭなど）を増設することなく、スマートメディア１２の記録可能量を増やす処理が行われるまで、該画像データがＳＤＲＡＭ７４に記録されているので、該画像データを消去および該画像データの画像品質を低下させることなく、スマートメディア１２に記録し得る。
【００６４】
なお、本実施形態において説明した各プログラムの処理の流れ（図３乃至図５参照）は一例であり、本発明の主旨を逸脱しない範囲内において適宜変更可能であることは言うまでもない。また、本発明は、静止画像の連写による撮影を行うスチル連写モードを備えるデジタルスチルカメラなどの撮像装置にも、同様に適用できる。
【００６５】
【発明の効果】
以上説明したように、本発明によれば、記録手段を増設することなく、第２の記録手段の記録可能量を増やす処理が行われるまで、該画像データが第１の記録手段に記録されているので、該画像データを消去および該画像データの画像品質を低下させることなく、第２の記録手段に記録し得る。
【図面の簡単な説明】
【図１】本発明の実施形態に係るデジタルスチルカメラの斜視図である。
【図２】図１に示すデジタルスチルカメラのブロック図である。
【図３】図１に示す記憶メディアに画像データを記録する処理に関するフローチャートである。
【図４】図１に示す記憶メディアに対する空き容量解消処理に関するフローチャートである。
【図５】図１に示す記憶メディアを交換する交換モード処理に関するフローチャートである。
【符号の説明】
１０                  デジタルスチルカメラ（撮像装置）
１２                  スマートメディア（記憶メディア、第２の記録手段）
３０                  光学ユニット（撮影手段）
３２                  ＣＣＤ（撮影手段）
６２                  ＣＰＵ（判断手段または制御手段）
７３                  タッチパネル（削除手段または選択手段）
７４                  ＳＤＲＡＭ（第１の記録手段）
７８                  電源部
８０                  電源バックアップ部（補助電源手段）
８２                  検出部
【図１】
2004166028.tif 000003
【図２】
2004166028.tif 000004
【図３】
2004166028.tif 000005
【図４】
2004166028.tif 000006
【図５】
2004166028.tif 000007